(57)【特許請求の範囲】
【請求項１】
画像形成プロセス機器；
第１ヒータおよび第２ヒータを備える定着ユニット；
第１および第２電源コード；
第２電源コードから給電され前記画像形成プロセス機器に給電するＤＣ電源回路；
第１電源コードから第１ヒータおよび第２ヒータに給電する第１給電モードと、第１電源コードから第１ヒータに給電しかつ第２電源コードから第２ヒータに給電する第２給電モードを有するスイッチ手段；および、
画像形成装置が、第１ヒータおよび第２ヒータの消費電力の和が設定値を超える立上りモードのときは第２給電モードに、設定値以下となる待機モードのときには第１給電モードに、前記スイッチ手段を設定する給電モード制御手段；
を備える画像形成装置。
【請求項２】
前記スイッチ手段に接続されて、それぞれが第１ヒータおよび第２ヒータに給電する第１組および第２組の交流給電回路を含むＡＣ電源回路；を備える請求項１に記載の画像形成装置。
【請求項３】
第２電源コードと前記ＤＣ電源回路の間に電源スイッチを介挿し、第１電源コードと前記スイッチ手段の間に前記ＤＣ電源回路の出力によって閉じられる電気リレーを介挿した；請求項１又は２に記載の画像形成装置。
【発明の詳細な説明】
【０００１】
【発明の属する技術分野】
本発明は、画像形成装置に関し、特に、これに限定する意図ではないが、汎用商用交流配線から受電して多量の電力を消費する画像形成装置に関する。
【０００２】
【従来の技術】
近年、画像形成装置の高速化への要求が高まっている。それを実現するためには、高速処理をするために定着ヒータのワット数やモータのワット数を大きくする必要があるが、これにより電力消費が増加する。さらに、カラー化や高精度化の要素が加わると、高圧負荷，モータ負荷，電気回路負荷等が増大するので、電力消費がさらに増加する。周知のように、日本国内では最も一般的な商用１００Ｖ交流配線のコンセントからＡＣ入力を１本の電源コードでとる場合は、電流は１５Ａ以内に制限される。したがって、前述の画像形成装置の電気負荷がＡＣ入力換算で１５Ａを越える場合は、電源コードを２本以上設けて、１本からの入力が１５Ａ以下になるような電源回路を構成する必要がある。
【０００３】
特公平０４−７６１２５号公報は、定着器に主ヒータと補助ヒータを備え、オプションのソータも独立に商用電源から給電されるものとし、複写機本体にはソータの接続を検出してソータの接続があるときには補助ヒータ給電回路を本体の給電端子からソータの給電端子に切換え接続する制御部を備える複写機を提示している。オプションのソータが複写機本体に接続されているときには、主ヒータは本体に接続した電源コードから、補助ヒータはソータに接続した電源コードから、それぞれ別個に給電されるので、両ヒータ合わせると、大きな電力を定着器に投入でき、立上げを高速にすることができ又通紙を高速にできる。しかし、ソータを接続しない使用態様では、両ヒータ合わせて１系統の電源コードで給電可能な範囲内の給電になるので、定着器の立上げは遅く通紙の高速化はできない。
【０００４】
そこで２本以上の電源コードを常備して、1本で定着ヒータや除湿ヒータなどのＡＣ負荷に給電し、もう1本にＤＣ電源回路を接続して直流負荷に給電する構成を考えると、回路構成上簡単になり、また、電流分配上も比較的バランスがとりやすい。
【０００５】
ところで、複写機などの画像形成装置は、複数の動作モードをもち、各動作モード時の負荷のＯＮ／ＯＦＦ状態によって、消費電力は異なる。主な動作モードは、電源投入後の立上りモード、立上り後の待機モード、および、画像を作像するコピーモードである。待機モード時は、定着ヒータが設定温度に立ち上がり、モータなども停止しているので、必要な電流は少ない。コピーモード時は画像を作像し、転写紙を定着する必要があり、モータなどの駆動負荷も動作するので、定着ヒータもＤＣ電源回路も電力消費が増加する。このコピーモードで２本の電源コードの電流がそれぞれ１５Ａ以下になるように、装置の電気負荷を２本の電源コードに分配しておくことが考えられる。
【０００６】
【発明が解決しようとする課題】
ところが、立上りモードでは、定着ローラなどの定着部温度を定着ヒータによって、室温から１５０℃〜２００℃の設定温度まで上げなくてはならない。市場の要求に従い、この立上り時間を出来る限り短くしたいが、コピーモードでの負荷配分で、定着ヒータに流せる電流の上限値（たとえば、電源コードの規格値１５Ａ）を定着ヒータに流した場合が、最も早く設定温度に達し、それ以上は不可である。
【０００７】
本発明は、複数の電源コードから、画像形成装置の定着ユニットに、その電力需要の変動に適応して能率よく給電することを目的とする。
【０００８】
【課題を解決するための手段】
（１）画像形成プロセス機器；
第１ヒータ(42a)および第２ヒータ(42b)を備える定着ユニット(42)；
第１および第２電源コード(48,49)；
第２電源コード(49)から給電され前記画像形成プロセス機器に給電するＤＣ電源回路(40b)；
第１電源コード(48)から第１ヒータ(42a)および第２ヒータ(42b)に給電する第１給電モードと、第１電源コード(48)から第１ヒータ(42a)に給電しかつ第２電源コード(49)から第２ヒータ(42b)に給電する第２給電モードを有するスイッチ手段(RA1,RA2)；および、
画像形成装置が、第１ヒータ(42a)および第２ヒータ(42b)の消費電力の和が設定値を超える立上りモードのときは第２給電モードに、設定値以下となる待機モードのときには第１給電モードに、前記スイッチ手段(RA1,RA2)を設定する給電モード制御手段(20)；
を備える画像形成装置。
【０００９】
なお、理解を容易にするためにカッコ内には、図面に示し後述する実施例の対応要素または対応事項の記号を、例示として参考までに付加した。
【００１０】
この画像形成装置によれば、立上りモードでは、給電モード制御手段(20)がスイッチ手段(RA1,RA2)を第２給電モードに設定する。これにより、第１電源コード(48)から第１ヒータ(42a)に給電しかつ第２電源コード(49)から第２ヒータ(42b)に給電するので、それぞれのヒータに、第１電源コードおよび第２電源コードの各給電容量内の高電力を給電することができる。これにより各ヒータの立上がりを早く能率良く動作させることができる。
【００１１】
待機モードでは、給電モード制御手段(20)がスイッチ手段(RA1,RA2)を第１給電モードに設定する。これにより、第１電源コード(48)から第１ヒータ(42a)および第２ヒータ(42b)に給電する。第２電源コード(49)の負荷が軽くなるので、第２電源コード(49)に、第１ヒータ(42a)および第２ヒータ(42b)が大きな電力需要のときには低い電力需要である画像形成プロセス機器を接続して、第２電源コード(49)による給電を有効に利用する。
【００１２】
立上りモードでは、第１電源コード(48)から第１ヒータ(42a)に給電しかつ第２電源コード(49)から第２ヒータ(42b)に給電するので、それぞれのヒータに、第１電源コードおよび第２電源コードの各給電容量内の高電力を給電することができる。これにより定着ユニットの温度の立上りを早くすることができる。立上りモードでは、第２電源コード(49)から第２ヒータ(42b)およびＤＣ電源回路(40b)が給電されるが、立上りモードでは画像プロセスを行わないのでＤＣ電源回路(40b)が給電する直流負荷が小さいので、ＤＣ電源回路(40b)の電力需要は低く、第２ヒータ(42b)に高電力を給電することができる。
【００１３】
【発明の実施の形態】
（２）前記スイッチ手段(RA1,RA2)に接続されて、それぞれが第１ヒータ(42a)および第２ヒータ(42b)に給電する第１組および第２組の交流給電回路(51a,51b)を含むＡＣ電源回路(40a)、を備える上記（１）の画像形成装置。
【００１４】
これは、第１ヒータ(42a)および第２ヒータ(42b)の電力需要が高いときには、第２給電モードで、第１電源コードからは第１ヒータ(42a)に給電し、第２電源コードからは第２ヒータ(42b)およびＤＣ電源回路(40b)に給電し、第１ヒータ(42a)および第２ヒータ(42b)の電力需要が低いときには、第１電源コードからは第１ヒータ(42a)および第２ヒータ(42b)に給電し、第２電源コードからはＤＣ電源回路(40b)に給電する態様である。これにより、第１および第２電源コードを共に効率よい給電に活用できる。
【００１５】
（３）第２電源コード(49)とＤＣ電源回路(40b)の間に電源スイッチ(45)を介挿し、第１電源コード(48)と前記スイッチ手段(RA1,RA2)の間にＤＣ電源回路(40b)の出力によって閉じられる電気リレー(RA0)を介挿した上記（１）又は（２）の画像形成装置。
【００１６】
これによれば、電源スイッチ(45)が閉じられると、ＤＣ電源回路(40b)が第２電源コード(49)から給電されて直流電圧を発生する。この直流出力により電気リレー(RA0)が閉じて第１組および第２組の交流給電回路(51a,51b)が第１電源コードに接続となる。
【００１７】
したがって、給電モード制御手段(20)が直流給電されて負荷への通電制御可になってから、交流給電回路(51a,51b)が交流を出力する、交流給電のタイミング設定が容易である。ＤＣ電源回路(40b)の直流出力が消えると電気リレー(RA0)が開いて交流出力も自動的に止められるので、給電モード制御手段(20)への給電が止まるときには自動的に交流負荷への給電も止まり、交流負荷の異常動作が防がれる。また、各電源コードに電源スイッチを備えるとユーザのスイッチ操作が煩わしくなるが、この実施態様では、１つの電源スイッチ(45)を操作するだけでよく、操作性が良い。
【００１８】
本発明の他の目的および特徴は、図面を参照した以下の実施例の説明により明らかになろう。
【００１９】
【実施例】
−第１実施例−
図１に本発明の１実施例の複合機能複写機の外観を示す。この複合機能複写機は、大略で、自動原稿送り装置〔ＡＤＦ〕２２と、操作部２３と、カラースキャナ２１と、カラープリンタ１００と、中継ユニット１８と、ステープラ及び作像された用紙を大量に積載可能なシフトトレイ付きのフィニッシャ４１と、両面ユニット３２と、給紙ユニット３１と、大容量給紙トレイ１９及び１ビン排紙トレイ１７、の各ユニットで構成されている。
【００２０】
図２に、図１に示す複写機の電気システムの概要を示す。図２において複写機メカ制御部としては、ＭＰＵ（Micro Processing Unit；マイクロプロセッサユニット）２０１は作像シーケンス制御，定着制御，システム関係の制御およびネットワークＩ／Ｆ（インターフェース）２０５を介した外部（パソコンＰＣ，ファクシミリ）との通信制御を行う。ネットワークＩ／Ｆ２０５には、パソコンＰＣが接続したＬＡＮ(Local Area Network)ならびに交換器ＰＢＸが接続されており、交換器ＰＢＸに、電話回線ＰＮ（ファクシミリ通信回線）が接続されている。ＣＰＵ（Center Processing Unit；中央処理ユニット）３０１は、スキャナ関係の制御を行う。ＭＰＵ２０１とＣＰＵ３０１とは、画像データＩ／Ｆ及びシリアルＩ／Ｆによって接続されている。
【００２１】
２０はメイン制御板であり、ＭＰＵ２０１，プログラムやデータを格納するＲＯＭ２０１，ＲＡＭ２０２，時刻を取得するためのリアルタイムクロック（ＲＴＣ）２０３およびネットワークＩ／Ｆ２０４が備わっている。２１はスキャナユニットで、ＲＯＭ３０２およびＲＡＭ３０３が搭載されている。２２はＡＤＦ（自動原稿供給装置）、２３は操作部である。３０はメイン制御板２０からの信号に応じてＩ／Ｏ（入出力ポート）をドライブするＩ／Ｏ制御板であり、給紙ユニット３１，両面ユニット３２等の負荷が接続されている。そして４０はＡＣ／ＤＣ電源であり、周辺機のフィニッシャ４１，定着ユニット４２，キーカードユニット４３，メインモータ４４，高圧電源ユニット４５等への電源供給を行っている。このＡＣ／ＤＣ電源４０は、メイン制御板２０からの信号に応じて、定着ユニット４２，スキャナユニット２１，キーカードユニット４３等への電源の供給をＯＮ／ＯＦＦすることが可能である。
【００２２】
キーカードユニット４３は、磁気カードの読み書きをする磁気リーダ部と、メイン制御板２０とデータを授受するＣＰＵおよび双方向パラレルＩ／Ｆを有し、キーカードユニット４３の読み書きコントローラであるＣＰＵは、メイン制御板２０のＭＰＵ２０１と、双方向パラレルデータラインを介してデータのやり取りをする。なお、フィニッシャ４１も、メイン制御板２０のＭＰＵ２０１と、双方向パラレルデータラインを介してデータのやり取りをする。
【００２３】
Ｉ／Ｏ制御板３０には電源ＳＷ４６が接続されている。この電源ＳＷ４６は、待機モード／省電力モードを指定する入力スイッチであり、省電力モード（省電力状態）のときに閉じられると、これは待機モード（動作状態）への復帰を指示する。待機モードのときに閉じられると、これは省電力モードへの移行を指示する。
【００２４】
図３に、ＡＣ／ＤＣ電源４０の概要を示す。ＡＣ／ＤＣ電源４０には、ＡＣ電源回路４０ａとＤＣ電源回路４０ｂがある。ＡＣ電源回路４０ａには、トライアックの導通位相制御により給電電力を制御する交流通電回路５０，５１ａおよび５１ｂがあり、これらはそれぞれ、交流負荷である除湿ヒータ４７ａ，第１定着ヒータ４２ａおよび第２定着ヒータ４２ｂに給電する。ＤＣ電源回路４０ｂは、メイン制御板２０およびＩ／Ｏ制御板３０に直流電圧を印加する。
【００２５】
ＡＣ／ＤＣ電源４０には、一般家庭用の商用１００Ｖ交流配線にそれぞれ別個のコネクタで接続される第１電源コード４８および第２電源コード４９がそれぞれ、一般家庭用の商用１００Ｖ交流であるＡＣ入力１およびＡＣ入力２を給電する。
【００２６】
第２電源コード４９とＡＣ／ＤＣ電源４０の間には、主電源ＳＷ４５が介挿されており、この電源ＳＷ４５を介してＤＣ電源回路４０ｂが第２電源コード４９のＡＣ入力２の交流電力を受ける。ＤＣ電源回路４０ｂは、図２に示す画像形成プロセス機器および制御器に必要なＤＣ電圧（3.3V・5V・12V・24Vなど）を内部の整流回路（ＡＣ／ＤＣ変換回路）およびＤＣ／ＤＣコンバータで生成する。また、ＡＣ電源回路４０ａの、第１電源コード４８からのＡＣ入力１を受電するラインに介挿された電気リレーＲＡ０に２４Ｖを供給する。
【００２７】
ＡＣ電源回路４０ａには、第１電源コード４８からのＡＣ入力１を除湿ヒータ４７ａおよび第１定着ヒータ４２ａに給電する交流通電回路５０および５１ａ、ならびに、第１電源コード４８からのＡＣ入力１又は第２電源コード４９からのＡＣ入力２を第２定着ヒータ４２ｂに給電する交流通電回路５１ｂがある。第１および第２定着ヒータ４２ａ，４２ｂは、メイン制御板２０から交流通電回路５１ａ，５１ｂへの制御信号を用いるトライアックの導通位相制御によって所定の温度に成るように通電が制御される。除湿ヒータ４７ａの役割は、省電力モードの時の転写紙の除湿や、光学系などの結露防止である。
【００２８】
第１定着ヒータ４２ａは、立上りモード，待機モードおよびコピーモードの全モードで給電されるメインヒータであり、第２定着ヒータ４２ｂは、立上りモードおよびコピーモードで給電されるサブヒータであり、この第２定着ヒータ４２ｂに給電することにより、定着器の温度の立上りが速く、コピー時には高速で転写紙を通紙できる。
【００２９】
ＡＣ電源回路４０ａには更に、第１電源コード４８からのＡＣ入力１および第２電源コード４９からのＡＣ入力２を選択的に交流通電回路５１ｂ（第２定着ヒータ４２ｂ）に給電するための電気リレーＲＡ１およびＲＡ２がある。これらのリレーのＯＮ／ＯＦＦは、メイン制御板２０のＭＰＵ２０１が制御する。なお、後述するように、電気リレーＲＡ１をＯＮ（閉）にするときには電気リレーＲＡ２はＯＦＦ（開）、電気リレーＲＡ２をＯＮにするときには電気リレーＲＡ１をＯＦＦにするので、両リレーＲＡ１，ＲＡ２を、一方が閉であると他方が開となる双極の１個の電気リレーに変えても良い。
【００３０】
定着器が設定温度に達し、いつでもコピー可能な状態である待機モードにおいては、定着器は転写紙に熱が奪われないので設定温度を維持すればいいので、第１定着ヒータ４２ａ（１０００Ｗ）のみに、交流通電回路５１ａで通電し、最高で１０００Ｗを消費する。待機モードにおいては、モータなどの駆動負荷が動かないのでＤＣ負荷は小さく、ＤＣ電源回路４０ｂ以下のＤＣ負荷は６００Ｗ以下を消費し、合計電力は１６００Ｗ以下である。この時は、定着電力は１５００Ｗ（１５Ａ）以下なので、ＡＣ入力１からのみの給電とする。すなわち、リレーＲＡ１をＯＮ、ＲＡ２をＯＦＦにする。すなわちリレーＲＡ１，ＲＡ２を、第１給電モードに設定する。
【００３１】
コピーモードにおいては、転写紙が定着器の熱を奪うので定着器の温度が低下する。そこで第１定着ヒータ４２ａ（１０００Ｗ）に交流通電回路５１ａで通電して最高で１０００Ｗ消費して、第２定着ヒータ４２ｂ（８００Ｗ）は５０％デューティを中心に点灯制御して、略４００Ｗ消費する。ＤＣ負荷はモータなどの駆動負荷が動くのでＤＣ負荷は高く、ＡＣ入力換算で略１２００Ｗ消費し、合計電力は略２６００Ｗになる。この時も、定着電力は１５００Ｗ（１５Ａ）以下なので、第１定着ヒータ４２ａ，第２定着ヒータ４２ｂともにＡＣ入力１を給電し、ＤＣ電源回路４０ｂ以下の直流負荷には、ＡＣ入力２から給電するに、リレーＲＡ１をＯＮ、ＲＡ２をＯＦＦにする。すなわちリレーＲＡ１，ＲＡ２を、第１給電モードに設定する。
【００３２】
電源ＳＷ４５が開から閉に切換わった電源投入直後の立上りモードにおいては、室温である定着器をできるだけ早く設定温度に立ち上げるために、第１定着ヒータ４２ａ（１０００Ｗ）および第２定着ヒータ４２ｂ（８００Ｗ）ともフル点灯制御するので、最高で１８００Ｗ消費する。ＤＣ負荷は待機モードと同様に、モータなどの駆動負荷が動かないのでＤＣ負荷は小さく、ＤＣ電源回路４０ｂ以下のＤＣ負荷は６００Ｗ以下を消費し、合計電力は最高で２４００Ｗだが、定着電力は１５００Ｗ（１５Ａ）をオーバーし、ＤＣ電源回路４０ｂへのＡＣ入力２には余裕があるので、第１定着ヒータ４２ａはＡＣ入力１から給電し、第２定着ヒータ４２ｂとＤＣ電源回路４０ｂはＡＣ入力２から給電するように、リレーＲＡ１をＯＦＦ、リレーＲＡ２をＯＮにする。すなわちリレーＲＡ１，ＲＡ２を、第２給電モードに設定する。各モードでの、ＤＣ負荷，第１定着ヒータ４２ａ，第２定着ヒータ４２ｂの、入力交流電力換算の消費電力と合計電力、ならびに、リレーＲＡ１，ＲＡ２のＯＮ／ＯＦＦ状態を、次の表１に示す。
【００３３】
【表１】
0004066410.tif 000002
【００３４】
この実施例では、リレーＲＡ１，ＲＡ２のＯＮ／ＯＦＦによるＡＣ入力の選択は、待機モードとコピーモードで同一とし、立上りモードで切り換えたが、電源コード１，２の電流規格値と各モードでの各定着ヒータＷ数，ＤＣ負荷(交流入力換算)Ｗ数の関係により設定する。また、電源コードが３本以上の複数本でも、各コードの規格値に収めるために、動作モードによって負荷接続を切り換える。
【００３５】
−第２実施例−
第２実施例のハードウエアは上述の第１実施例と同様であるが、全般にＤＣ負荷が小さく、ヒータ投入電力は、立ち上がりモードは同一であるが、待機モードおよびコピーモードで少し小さい。
【００３６】
図４に、第２実施例のＡＣ／ＤＣ電源４０の概要を示す。定着器が設定温度に達し、いつでもコピー可能な状態である待機モードにおいては、定着器は転写紙に熱が奪われないので設定温度を維持すればいいので、第１定着ヒータ４２ａ（１０００Ｗ）はフル点灯し、最高で１０００Ｗ消費し、第２定着ヒータ４２ｂ（８００Ｗ）は、２５％デューティを中心に点灯制御して、略２００Ｗ消費する。ＤＣ電源回路４０ｂ以下のＤＣ負荷は、モータなどの駆動負荷が動かないので交流入力換算で、最高で４００Ｗ消費し、合計電力は最高で１６００Ｗになる。
【００３７】
この待機モードの時は、定着電力は１５００Ｗ（１５Ａ）以下なので、ＡＣ入力１からのみの給電とする。すなわち、リレーＲＡ１がＯＮ、リレーＲＡ２がＯＦＦの第１給電モードに設定する。
【００３８】
コピーモードにおいては、転写紙が定着器の熱を奪うので、第１定着ヒータ４２ａ（１０００Ｗ）はフル点灯し、最高で１０００Ｗ消費して、第２定着ヒータ４２ｂ（８００Ｗ）は７５％デューティを中心に点灯制御して、略６００Ｗ消費する。ＤＣ電源回路４０ｂ以下のＤＣ負荷は、モータなどの駆動負荷が動くので最高で交流入力換算で８００Ｗ消費し、合計電力は最高で２４００Ｗになる。合計電力は２４００Ｗだが、定着電力は１５００Ｗ（１５Ａ）をオーバーし、ＤＣ電源回路４０ｂへのＡＣ入力は余裕があるので、第１定着ヒータ４２ａはＡＣ入力１から給電し、第２定着ヒータ４２ｂとＤＣ電源回路４０ｂはＡＣ入力２から給電するように、リレーＲＡ１がＯＦＦ、リレーＲＡ２がＯＮの第２給電モードに設定する。
【００３９】
電源ＳＷ４５が開から閉に切換わった電源投入直後の立上りモードにおいては、室温である定着器をできるだけ早く設定温度に立ち上げるために、第１定着ヒータ４２ａ（１０００Ｗ）および第２定着ヒータ４２ｂ（８００Ｗ）ともフル点灯制御するので、合わせて最高で１８００Ｗ消費する。ＤＣ電源回路４０ｂ以下のＤＣ負荷は、待機モードと同様に、駆動負荷が動かないので低く、最高で交流入力換算で４００Ｗ消費する。合計電力は最高で２２００Ｗだが、定着電力は１５００Ｗ（１５Ａ）をオーバーする。ＤＣ電源回路４０ｂ以下のＤＣ負荷が低くＡＣ入力２には余裕があるので、コピーモードと同様に、第１定着ヒータ４２ａはＡＣ入力１から給電し、第２定着ヒータ４２ｂとＤＣ電源回路４０ｂ以下のＤＣ負荷にはＡＣ入力２から給電するように、リレーＲＡ１がＯＦＦ、リレーＲＡ２がＯＮの第２給電モードを設定する。各モードでの、ＤＣ負荷，第１定着ヒータ４２ａ，第２定着ヒータ４２ｂの、入力交流電力換算の消費電力と合計電力、ならびに、リレーＲＡ１，ＲＡ２のＯＮ／ＯＦＦ状態を、次の表２に示す。
【００４０】
【表２】
0004066410.tif 000003
【００４１】
【発明の効果】
第１組および第２組の電気負荷(42a,42b)が共に大きな電力需要になるときには、スイッチ手段(RA1,RA2)を第２給電モードに設定することにより、それぞれの電気負荷に、第１電源コード(48)および第２電源コード(49)の各給電容量内の高電力を給電することができる。これにより各電気負荷の立上がりを早く能率良く動作させることができる。第１組および又は第２組の電気負荷が小さな電力需要になるときには、スイッチ手段(RA1,RA2)を第１給電モードに設定することにより、２電源コードの負荷が軽くなるので、第３組の電気負荷(40b)を接続して、第２電源コードによる給電を有効に利用できる。
【図面の簡単な説明】
【図１】  本発明の第１実施例の、複合機能がある複写機の外観を示す正面図である。
【図２】  図１に示す複写機の画像処理システムの概要を示すブロック図である。
【図３】  図２に示すＡＣ／ＤＣ電源４０の概要を示すブロック図である。
【図４】  第２実施例のＡＣ／ＤＣ電源４０の概要を示すブロック図である。
【符号の説明】
ＰＣ：パソコン  ＰＢＸ：交換器
ＰＮ：電話回線  ＲＡ〜ＲＡ２：電気リレー
【図１】
0004066410.tif 000004
【図２】
0004066410.tif 000005
【図３】
0004066410.tif 000006
【図４】
0004066410.tif 000007